(57)【特許請求の範囲】
【請求項１】
表示手段上にゲーム映像を表示し、プレイヤが別に配置された操作手段により入力操作してゲームを行うテレビゲーム装置において、前記表示手段上に外部光による反射を低減する、フィルム上に含フッ素化合物をウェットコーティングにより成膜した後に硬化して反射防止層を形成させた反射防止手段を設け、前記表示手段における５°正反射を測定し得られる波長５５０ｎｍにおける分光反射率を０．６〜１．２％とすることを特徴とするテレビゲーム装置。
【請求項２】
反射防止手段が、透明基板上の片面または両面に反射防止層を形成させてなるものであり、該反射防止手段をゲーム装置の表示手段前面に設置されてなる請求項１に記載のテレビゲーム装置。
【請求項３】
反射防止手段が、透明基板と反射防止フィルムとからなり、該フィルムを透明基板上の片面あるいは両面に接着剤で貼り合わせてなるものである請求項１または２記載のテレビゲーム装置。
【請求項４】
反射防止手段が、反射防止フィルムであり、テレビゲーム装置の表示手段上に直接前記の反射防止フィルムを接着剤で貼り合わせてなる請求項１記載のテレビゲーム装置。
【発明の詳細な説明】
【０００１】
【発明の属する技術分野】
本発明は、反射防止手段を設けてなるテレビゲーム装置に関する。
【０００２】
【従来の技術】
従来、一般に普及しているテレビゲーム装置は、表示手段（モニタ）にビデオ再生等により映像を表示し、該映像に対して操作部より内蔵されている中央演算処理部（ＣＰＵ）によって所定の入力操作を行ってゲームを行う。このようなテレビゲーム装置は、一般にブラウン管、ＬＣＤ、液晶プロジェクタ等のモニタと、該モニタの前部に操作レバーとスイッチ類等が配置された操作部とが外観配設されたものである。通常モニタはプレイヤに対して、垂直または斜めに、若しくは水平に配置される。このようなテレビゲーム装置は他のゲーム装置とともに屋内又は屋外に設置される。
【０００３】
しかし、上述のようにテレビゲーム装置は屋内又は屋外に設置されることから、屋内の照明光や屋外の太陽光等を背景光として、あるいは前記の照明や太陽光由来の光が他から反射して、モニタ画面の表面に周囲の背景光として映り込むことが起こり、プレイヤにとって画面が見ずらいという現象が生じていた。
そのため例えば、特開平１０−１４６４６２号公報には、モニタの上部に映り込み防止用部材で囲い込むことにより外部光を遮光する方法が提案されている。しかしこの方法ではモニタ全面を覆うことは困難であり遮光も不充分であった。
【０００４】
【発明が解決しようとする課題】
本発明は、上記課題に鑑みなされたもので、モニタ画面上での外部光の反射を防止したテレビゲーム装置を提供することを目的とする。
【０００５】
【課題を解決するための手段】
本発明者らは、遮光方法について鋭意検討した結果、特定の反射防止機能をテレビゲーム装置の表示手段に設けることにより遮光の問題が解決できることを見出し、本発明をなすに至った。
すなわち本発明は次の通りである。
【０００６】
（１）表示手段上にゲーム映像を表示し、プレイヤが別に配置された操作手段により入力操作してゲームを行うテレビゲーム装置において、前記表示手段上に外部光による反射を低減する、フィルム上に含フッ素化合物をウェットコーティングにより成膜した後に硬化して反射防止層を形成させた反射防止手段を設け、前記表示手段における５°正反射を測定し得られる波長５５０ｎｍにおける分光反射率を０．６〜１．２％とすることを特徴とするテレビゲーム装置。
【０００７】
（２）反射防止手段が、透明基板上の片面または両面に反射防止層を形成させてなるものであり、該反射防止手段をゲーム装置の表示手段前面に設置されてなる前記のテレビゲーム装置。
【０００８】
（３）反射防止手段が、透明基板と反射防止フィルムとからなり、該フィルムを透明基板の片面あるいは両面に接着剤で貼り合わせてなるものである前記のテレビゲーム装置。
【０００９】
（４）反射防止手段が、反射防止フィルムであり、テレビゲーム装置の表示手段上に直接前記の反射防止フィルムを接着剤で貼り合わせてなる前記のテレビゲーム装置。
【００１０】
【発明の実施の形態】
本発明において、テレビゲーム装置とは、表示手段上にゲーム映像を表示し、プレイヤが別に配置された操作手段により入力操作してゲームを行う装置を指す。その表示部分のゲーム映像の表示手段としては、例えば、陰極線管（ＣＲＴ）、液晶表示装置（ＬＣＤ）、プラズマ表示装置（ＰＤＰ）、エレクトロ・ルミネッセンス（ＥＬ）、発光ダイオード（ＬＥＤ）、蛍光表示管（ＶＦＤ）、フィールドエミッション（ＦＥＤ）などを用いたものが挙げられる。
【００１１】
本発明において反射防止とは波長３００〜８００ｎｍの反射率が２０％以下になることを意味する。
また透明基板としては、以下に示す（１）〜（３）を単体または組み合わせたものを意味する。
〔１〕厚さ０．１ｍｍ以上の自己支持性の有る基材で、この表面に例えばアンチグレア加工等の特殊加工が施されていてもよい。
〔２〕前記基材内に近赤外線遮蔽剤を含有したものあるいは電磁波シールド性の機能を持たせたものでもよい。
〔３〕前記基材の表面に近赤外線遮蔽層、ハードコート加工等を設けたものでもよい。
【００１２】
「透明基板」の材料としては、例えば、ガラス、ポリ塩化ビニル、ポリエステル、ポリアクリル（ＰＭＭＡ）、ポリウレタン（ＰＵ）、ポリオレフィン（ＰＯ）、ポリカーボネート（ＰＣ）、トリアセチルセルロース（ＴＡＣ）、ジアセテートセルロース、アセテートブチレートセルロース、ポリエーテルスルホン、ポリスルホン、ポリエーテル、ポリエーテルケトン、ポリアクリロニトリル等が挙げられる。
より好ましくは、ポリアクリル（ＰＭＭＡ）、ポリエステルであるポリエチレンテレフタレート（ＰＥＴ）、ポリカーボネート（ＰＣ）、ガラス基材等が好ましく挙げられる。
【００１３】
またさらに、反射防止フィルムは、フィルム上に反射防止層を成形させたものであり反射防止層としては従来公知のものでよく、層は特に限定されない。
成形方法としては、例えば、蒸着、スパッタ、ウェットコーティング等の方法をとることができる。ウェットコーティング方法としては公知のものでよく、例えば、ロールコート法、スピンコート法、ディップコート法などが代表的なものとして挙げられる。
【００１４】
反射防止層に用いる物質としては特に限定されるものではない。例えば、無機物あるいは有機物、さらには無機物と有機物の混合型のものが挙げられる。
反射防止層用の無機物としては、具体的には例えば、酸化亜鉛、酸化チタン、フッ化マグネシウム、酸化アルミニウム、酸化シラン、酸化タンタル、酸化イットリウム、酸化イッテルビウム、酸化ジルコニウム、フッ化セリウム、酸化セリウム、フッ化ランタン等が挙げられる。
反射防止層用の有機物としては、具体的には例えば、２官能ないし４官能の含フッ素（メタ）アクリル酸エステルが好ましく挙げられる。
含フッ素（メタ）アクリル酸エステルとしては、例えば、
（１）１，８−ビス（（メタ）アクリロイルオキシ）−２，７−ジヒドロキシ−４，４，５，５−テトラフルオロオクタン、
（２）１，７−ビス（（メタ）アクリロイルオキシ）−２，８−ジヒドロキシ−４，４，５，５−テトラフルオロオクタン、
（３）２，７−ビス（（メタ）アクリロイルオキシ）−１，８−ジヒドロキシ−４，４，５，５−テトラフルオロオクタン、
（４）１，９−ビス（（メタ）アクリロイルオキシ）−２，８−ヒドロキシ−４，４，５，５，６，６−ヘキサフルオロノナン、
（５）１，８−ビス（（メタ）アクリロイルオキシ）−２，９−ジヒドロキシ−４，４，５，５，６，６−ヘキサフルオロノナン、
（６）２，８−ビス（（メタ）アクリロイルオキシ）−１，９−ジヒドロキシ−４，４，５，５，６，６−ヘキサフルオロノナン、
（７）１，１０−ビス（（メタ）アクリロイルオキシ）−２，９−ジヒドロキシ−４，４，５，５，６，６−テトラフルオロデカン、
（８）１，９−ビス（（メタ）アクリロイルオキシ）−２，１０−ジヒドロキシ−４，４，５，５，６，６−ヘキサフルオロデカン、
（９）２，９−ビス（（メタ）アクリロイルオキシ）−１，１０−ジヒドロキシ−４，４，５，５，６，６−ヘキサフルオロデカン、
（１０）１，１１−ビス（（メタ）アクリロイルオキシ）−２，１０−ジヒドロキシ−４，４，５，５，６，６，７，７，８，８−デカフルオロウンデカン、
（１１）１，１０−ビス（（メタ）アクリロイルオキシ）−２，１１−ジヒドロキシ−４，４，５，５，６，６，７，７，８，８−デカフルオロウンデカン、
（１２）２，１０−ビス（（メタ）アクリロイルオキシ）−１，１１−ジヒドロキシ−４，４，５，５，６，６，７，７，８，８−デカフルオロウンデカン、
（１３）１，１２−ビス（（メタ）アクリロイルオキシ）−２，１１−ジヒドロキシ−４，４，５，５，６，６，７，７，８，８，９，９−ドデカフルオロデカン、
（１４）１，１１−ビス（（メタ）アクリロイルオキシ）−２，１２−ジヒドロキシ−４，４，５，５，６，６，７，７，８，８，９，９−ドデカフルオロドデカン、
（１５）２，１１−ビス（（メタ）アクリロイルオキシ）−１，１２−ジヒドロキシ−４，４，５，５，６，６，７，７，８，８，９，９−ドデカフルオロドデカン等の２官能含フッ素（メタ）アクリレート、
【００１５】
（１６）１，２，８−トリス（（メタ）アクリロイルオキシ）−７−ヒドロキシ−４，４，５，５，−テトラフルオロオクタン、
（１７）１，２，７−トリス（（メタ）アクリロイルオキシ）−８−ヒドロキシ−４，４，５，５，−テトラフルオロオクタン、
（１８）１，２，９−トリス（（メタ）アクリロイルオキシ）−８−ヒドロキシ−４，４，５，５，６，６−ヘキサフルオロノナン、
（１９）１，２，８−トリス（（メタ）アクリロイルオキシ）−９−ヒドロキシ−４，４，５，５，６，６−ヘキサフルオロノナン、
（２０）１，２，１０−トリス（（メタ）アクリロイルオキシ）−９−ヒドロキシ−４，４，５，５，６，６，７，７−オクタフルオロデカン、
（２１）１，２，９−トリス（（メタ）アクリロイルオキシ）−１０−ヒドロキシ−４，４，５，５，６，６，７，７−オクタフルオロデカン、
（２２）１，２，１１−トリス（（メタ）アクリロイルオキシ）−１０−ヒドロキシ−４，４，５，５，６，６，７，７，８，８−デカフルオロウンデカン、
（２３）１，２，１０−トリス（（メタ）アクリロイルオキシ）−１１−ヒドロキシ−４，４，５，５，６，６，７，７，８，８−デカフルオロウンデカン、
（２４）１，２，１２−トリス（（メタ）アクリロイルオキシ）−１１−ヒドロキシ−４，４，５，５，６，６，７，７，８，８，９，９−ドデカフルオロドデカン、
（２５）１，２，１１−トリス（（メタ）アクリロイルオキシ）−１２−ヒドロキシ−４，４，５，５，６，６，７，７，８，８，９，９−ドデカフルオロドデカン等の３官能含フッ素（メタ）アクリレート、
（２６）１，２，８−トリス（（メタ）アクリロイルオキシ）−７−ヒドロキシ−４，４，５，５−テトラフルオロオクタン、
（２７）１，２，７−トリス（（メタ）アクリロイルオキシ）−８−ヒドロキシ−４，４，５，５，６，６−ヘキサフルオロオクタン、
（２８）１，２，９−トリス（（メタ）アクリロイルオキシ）−８−ヒドロキシ−４，４，５，５，６，６−ヘキサフルオロノナン、
（２９）１，２，８−トリス（（メタ）アクリロイルオキシ）−９−ヒドロキシ−４，４，５，５，６，６−ヘキサフルオロノナン、
（３０）１，２，１０−トリス（（メタ）アクリロイルオキシ）−９−ヒドロキシ−４，４，５，５，６，６，７，７−オクタフルオロデカン、
（３１）１，２，９−トリス（（メタ）アクリロイルオキシ）−１０−ヒドロキシ−４，４，５，５，６，６，７，７−オクタフルオロデカン、
（３２）テトラ（メタ）アクリル酸−４，４，５，５，６，６，７，７，８，８，９，９−テトラオール等の４官能含フッ素（メタ）アクリレートが挙げられる。
【００１６】
また、有機修飾コロイダルシリカなどのシラン化合物等の表面改質型の無機物を用いてもよい。
これらの無機物、有機物は単独でも２種以上併用してもよい。また、前記の有機物と無機物の混合物として用いることもできる。
より好ましい無機物としては、酸化チタン、酸化シラン、フッ化マグネシウムが好ましく挙げられる。
また、より好ましい有機物としては、前記の（１）〜（７）、（１６）〜（２１）、（３０）および（３１）等の含フッ素系（メタ）アクリレートが挙げられる。
【００１７】
また有機物の反射防止層については前記の含フッ素化合物をウェットコーティングにより成膜後、熱や紫外線、電子線などの活性エネルギー線照射等により硬化反応を行って反射防止膜を形成することができる。
好ましくは、紫外線硬化型や電子線硬化型では高真空の設備等を必要とせず、大量生産等の観点からより望ましい。
【００１８】
反射防止層は、前記の基材上に単層もしくは多層で形成し、その膜厚は基板、膜の構成によって異なるが、一層あたり可視光波長と同じ厚さもしくはそれ以下の厚さが好ましい。
【００１９】
また有機物の反射防止層については有機単量体をウェットコーティングにより成膜後、熱や紫外線、電子線などの活性エネルギー線照射等により硬化反応を行って層を形成することができる。前記の含フッ素化合物にさらに別の有機単量体を配合して用いてもよい。用いる有機単量体としては特に限定されるものではなく、市販されているものでもよい。例えば単官能単量体および多官能単量体が挙げられる。またこれらの混合物でもよい。具体的に単官能単量体としては、例えば、（メタ）アクリル酸、（メタ）アクリル酸エステル、（メタ）アクリロニトリル、スチレン、塩化ビニル、酢酸ビニル、マレイン酸、フマル酸およびその誘導体等が挙げられる。
【００２０】
また二官能以上の多官能単量体としては例えば、２，２，２−トリス（（メタ）アクリロイルオキシメチル）エタノール、ヘキサ（メタ）アクリル酸ジペンタエリスリトール、１，６−ヘキサンジ（メタ）アクリレート、ポリエチレングリコールジ（メタ）アクリレート、ウレタン（メタ）アクリレート等が挙げられる。また市販されている単量体混合液を用いても良い。
【００２１】
また、前記のように反射防止用の無機物と前記の単官能単量体および多官能単量体を混合して、デイップコート型の配合物としたり、紫外線や電子線による硬化型の配合物として用いてもよい。
【００２２】
また、前記の化合物以外に他の成分を含んでも構わない。その他の成分は特に限定されるものではなく、例えば無機充填剤、ポリマー、および重合開始剤、重合禁止剤、酸化防止剤、分散剤、界面活性剤、光安定剤、光吸収剤、レベリング剤などの添加剤などが挙げられる。
またウェットコーティングにおいて成膜後乾燥させる限りは、任意の量の溶媒を添加することができる。
【００２３】
また、反射防止層と基材との間に他の機能を付与するために一つ以上の層を設けてもよい。この間の層は無機物、有機物、もしくはこれらの混合物を用いることができ、その厚みは０．０５〜２０μｍが好ましい。層の成形方法は特に限定されず、例えば、蒸着、スパッタ、ウェットコーティング等の方法をとることができる。またこの層には帯電防止、防曇、防眩、硬度の向上、密着性の向上等の機能を一種類以上付与することができる。
【００２４】
次に図を用いて本発明を具体的に説明する。
図１は、本発明に用いる反射防止手段の一例を示す断面図である。反射防止手段（１９）は、樹脂等の基板（２０）の両面に例えば接着剤（３）を用いて、フィルム基材（２）に反射防止層（１）を形成させてなる反射防止フィルムを貼り合わせる。
モニタ（１３）は例えばブラウン管式又は液晶プロジェクタ、ＰＤＰ、ＬＣＤ等のものでもよい。
図２では、テレビゲーム装置を示す斜視図であり、その表示画面はプレイヤに対して、若干傾斜して配置される。実施例１では、その前面に製造例１の反射防止手段（１９）が設けられる。
なお、図２では、実施例１のようにモニタ（１３）が、プレイヤに対して傾斜させた場合を示しているが、垂直または水平に配置した場合においても適用することができるものである。
図３は、実施例３のように、テレビゲーム装置（３０）の表示画面上モニタ（３２）に直接反射防止フィルム（２１）を貼り合わせたものである。
図４はブラウン管式（ＣＲＴ型）の表示手段部分に直接反射防止フィルム（２１）を張り合わせた例の断面図である。
【００２５】
【発明の効果】
以上のように本発明によれば表示手段の前面に外部光の反射防止手段を設けることにより、表示手段の画面上での外部光の反射を防止することができる。これにより、屋内の照明光や屋外の太陽光等の外部光の映り込みあるいは前記の外部光の反射等による表示手段への周囲情景の映り込みを防止することが可能となる。
【００２６】
【実施例】
本発明を実施例を用いて更に詳細に説明する。
製造例１
含フッ素硬化型の反射防止フィルムとしてリアルック２２０１（日本油脂（株）製）を厚さ２ｍｍのアクリル版の両面にフィルムラミネーター機を使用して圧力５〜１０ｋｇ／ｃｍ2、貼り合わせ速度１〜１５ｍ／分の条件で貼り合わせて反射防止手段の製造を行った。
図１に反射防止手段の構成を示す。反射防止手段（１９）は基板であるアクリル板（２０）に反射防止フィルム（２１）を両面に貼り合わせることにより形成した。
【００２７】
製造例２
含フッ素デップコート型の反射防止フィルムとしてアークトップ（旭硝子（株）製）を厚さ２ｍｍのガラス板の両面にフィルムラミネーター機を使用して圧力５〜１０ｋｇ／ｃｍ2、貼り合わせ速度１〜１０ｍ／分の条件で、製造例１と同様にして貼り合わせて反射防止手段の製造を行った。
【００２８】
実施例１
ブラウン管式テレビゲームを用い、その表示手段の前面に製造例１で製造した反射防止手段を固定して設けた。
図２に、本発明の実施例１の構成を示す。図２はテレビゲーム装置（１１）の主要部分の斜視図を示している。図２において、テレビゲーム装置（１１）は、装置本体（１２）の外観構成がゲームを行うプレイヤに対して表示手段であるモニタ（１３）と、モニタ（１３）の前部に配置された操作手段である操作部（１４）とで構成されている。
モニタ（１３）は、ブラウン管であり、その表示面がプレイヤに対して若干傾斜して配置されている。その前面に製造例１の反射防止手段（１９）が設けられている。
【００２９】
比較例１
ブラウン管式テレビゲームを反射防止手段を設けずにそのまま用いた。
【００３０】
実施例２
ブラウン管式テレビゲームを用い、その表示手段の前面に製造例２で製造した反射防止手段を固定して設けた。
【００３１】
実施例３
平面型のブラウン管を用いたテレビゲーム装置と、含フッ素硬化型の反射防止フィルムとを用いて、前記のテレビゲーム装置の表示部分に直接貼り合わせた。貼り合わせ工程としては、反射防止フィルムとしてリアルック１２０１（日本油脂（株）製）を使用して、テレビゲームの平面ブラウン管にゴムローラーを使用して気泡が入らないように注意して手動で貼り合わせた
図３に本実施例３の構成を示す。図３のテレビゲーム装置（３０）は、まず装置本体（３１）おけるモニタ（３２）に直接反射防止フィルム（２１）を貼り合わせたものである。
図４にモニタ（３２）と反射防止フィルム（２１）の構成を示す。
【００３２】
比較例２
実施例３に用いたテレビゲーム装置においてを、含フッ素硬化型の反射防止フィルムを前記のテレビゲームの表示部分に用いずにそのまま用いた。
【００３３】
以上の実施例および比較例のテレビゲーム装置を用いて、下記の評価試験方法で反射防止性を調べた。結果を表１に示した。
（１）可視光線部の分光反射率；５゜正反射測定装置のついた紫外・可視分光光度計（日本分光社製、商品名「Ｕ−ｂｅｓｔ  ５０」）により、波長３００〜８００における反射防止フィルム及び基板の分光反射率を測定した。
ただし、塗布面を測定面とし裏面は反射を遮るためサンドペーパーで荒らし測定した。表には波長５５０ｎｍにおける分光反射率で示した。
（２）反射防止性評価試験方法；
観察者５名が、画面をよく観察して「背景からの映り込みが少なく反射防止がなされている」と答えた人数で次のように評価した。
評価記号；    内容
○      ：４〜５名
△      ；２〜３
×      ；０〜１
【００３４】
【表１】
0003846078.tif 000002
【００３５】
以上の結果から、本発明の、反射防止機能を付与したテレビゲーム装置を用いた場合は、比較例に比べて画面が見やすいことがわかる。
【図面の簡単な説明】
【図１】製造例１の反射防止手段の構成を示す説明図である。
【図２】実施例１の構成を示す斜視図である。
【図３】実施例２の構成を示す斜視図である。
【図４】図３のモニタの構成図である。
【符号の説明】
１．反射防止手段
２．フィルム基材
３．接着剤
１１．テレビゲーム装置
１２．装置本体
１３．モニタ
１４．操作部
１９．反射防止手段
２０．基板
２１．反射防止手段
３０．テレビゲーム装置
３２．モニタ
【図１】
0003846078.tif 000003
【図２】
0003846078.tif 000004
【図３】
0003846078.tif 000005
【図４】
0003846078.tif 000006